(57)【要約】      （修正有）【課題】移動する探触子を用いて被検体を走査する被検体情報取得装置において、音響整合液の揺動を抑制するとができる被検体情報取得装置を提供する。【解決手段】被検体情報取得装置は、被検者を支持し、被検者の一部である被検体を挿入する挿入口が形成された支持部材と、挿入口に設けられ、被検体を保持する保持部材と、音響整合液を収納可能な液槽と、液槽内に設けられ、被検体内からの音響波を受信する音響素子が配置された探触子ユニットと、探触子ユニットを保持部材に対して相対的に移動させる走査機構と、を有し、探触子ユニットは、探触子ユニットが移動する際に音響整合液から受ける流体抵抗を抑制する抑制手段を有する。【選択図】図４
2017077411.tif 000002
【特許請求の範囲】
【請求項１】
被検者を支持し、前記被検者の一部である被検体を挿入する挿入口が形成された支持部材と、
前記挿入口に設けられ、前記被検体を保持する保持部材と、
音響整合液を収納可能な液槽と、
前記液槽内に設けられ、前記被検体内からの音響波を受信する音響素子が配置された探触子ユニットと、
前記探触子ユニットを前記保持部材に対して相対的に移動させる走査機構と、
を有し、
前記探触子ユニットは、前記探触子ユニットが移動する際に前記音響整合液から受ける流体抵抗を抑制する抑制手段を有する
ことを特徴とする、被検体情報取得装置。
【請求項２】
前記探触子ユニットは、複数の前記音響素子と、前記複数の音響素子を支持する音響素子支持部材とを有し、
前記抑制手段は、前記音響素子のうち前記支持部材から突出した部分を覆うカバーを有する
ことを特徴とする、請求項１に記載の被検体情報取得装置。
【請求項３】
前記探触子ユニットは、半球状の支持部材と複数の前記音響素子とを有し、
複数の前記音響素子は、前記支持部材の内側に指向軸を向けて配置されている
ことを特徴とする、請求項１に記載の被検体情報取得装置。
【請求項４】
前記抑制手段は、前記半球状の支持部材の外側を覆うカバーを有する
ことを特徴とする、請求項３に記載の被検体情報取得装置。
【請求項５】
前記抑制手段は、前記支持部材の開口部を覆う仕切り部材を有する
ことを特徴とする、請求項３または４に記載の被検体情報取得装置。
【請求項６】
前記走査機構は、前記走査機構が移動する際に前記音響整合液から受ける流体抵抗を抑制する第二の抑制手段を有する
ことを特徴とする、請求項１から５のいずれか１項に記載の被検体情報取得装置。
【請求項７】
前記第二の抑制手段は、前記走査機構の少なくとも一部を覆うカバーを有する
ことを特徴とする、請求項６に記載の被検体情報取得装置。
【請求項８】
前記走査機構は、前記探触子ユニットが載置された、第一の方向に移動する第一の機構と、前記探触子ユニットおよび第一の機構が載置された、前記第一の方向と直交する第二の方向に移動する第二の機構と、を有し、
前記第二の抑制手段は、前記第一の機構の外側を覆うカバーであって、前記音響整合液から前記第二の方向に受ける流体抵抗を抑制するカバーを有する
ことを特徴とする、請求項６または７に記載の被検体情報取得装置。
【請求項９】
前記抑制手段は、前記探触子ユニットに設けられた、前記音響整合液が通過する流路を有する
ことを特徴とする、請求項１から７のいずれか１項に記載の被検体情報取得装置。
【請求項１０】
前記支持部材の、前記被検者を支持する面よりも低い位置で前記被検者の頭部を保持する垂下部をさらに有する
ことを特徴とする、請求項１から９のいずれか１項に記載の被検体情報取得装置。
【請求項１１】
前記被検体から前記音響整合液を介して伝播する音響波から変換された電気信号を用いて、前記被検体の特性情報を取得する信号処理部をさらに有する
ことを特徴とする、請求項１から１０のいずれか１項に記載の被検体情報取得装置。
【発明の詳細な説明】
【技術分野】
【０００１】
本発明は、被検体内部の情報を取得する被検体情報取得装置に関する。
【背景技術】
【０００２】
近年、光音響効果を利用して被検体内の情報を画像化する光音響イメージング装置の研究が、医療分野で積極的に進められている。
パルスレーザ光などの計測光を被検体である生体に照射すると、計測光が被検体内の生体組織で吸収される際に音響波が発生する。この音響波（典型的には超音波）を受信し、解析することにより、生体内部の光学特性に関連した情報を画像化することができる。このような音響波を光音響波と呼び、光音響波を用いた技術は、光音響トモグラフィ（ＰＡＴ：Photoacoustic Tomography）と呼ばれている。
【０００３】
光音響トモグラフィを利用して、人の乳房を観察する装置として、特許文献１に記載の光音響装置がある。当該装置では、半球状の保持部材によって被検体を保持し、当該保持部材と対向する、半球状の容器に配置された音響素子を用いて音響波を取得する。また、音響素子が配置された容器を、保持部材に対して相対的に動かすことで、広い範囲から音響波を取得することができる。
また、半球状の容器に、保持部材と音響素子との音響マッチングを取るためのマッチング液を貯留する液槽が取り付けられており、半球状部材が移動する際に、当該液槽も一緒に移動する構成となっている。
【０００４】
また、特許文献２には、音響マッチング液が貯留された液槽の中に探触子を配置し、水中で探触子を移動させることで走査を行う超音波装置が記載されている。
【先行技術文献】
【特許文献】
【０００５】
【特許文献１】特開２０１５−８５０１５号公報
【特許文献２】特開２００２−３３６２５６号公報
【発明の概要】
【発明が解決しようとする課題】
【０００６】
特許文献１に記載された被検体情報取得装置では、マッチング液が貯留された液槽が移動するため、慣性質量を有したマッチング液が揺れ動かされ、液面に波が発生するという特徴がある。発生した波は、マッチング液の液面において液位の変動をもたらす（以降、液位変動と称する）。また、液位変動が発生すると、保持部材と音響素子との間の音響インピーダンスの不整合や、空気の混入等が発生しうるため、これに起因して音響波の反射や減衰が発生するおそれがある。すなわち、走査中においてマッチング液の液位が変動すると、被検体情報に欠損が生じ、その結果、得られた断層画像の品質が低下してしまうおそれがある。
【０００７】
一方、特許文献２に開示されている装置では、マッチング液の入った容器が移動しないため、特許文献１に記載の装置と比較して、走査中におけるマッチング液の液位変動を抑えることができる。しかし、探触子をマッチング液の中で移動させる場合、流体抵抗に起因したマッチング液の揺動が発生するため、探触子や、探触子を移動させる機構を複雑な形状にしたり、大型化したりすることが難しい。
【０００８】
本発明は、このような従来技術の課題に鑑みてなされたものであり、移動する探触子を
用いて被検体を走査する被検体情報取得装置において、音響整合液の揺動を抑制することを目的とする。
【課題を解決するための手段】
【０００９】
上記課題を解決するための、本発明に係る被検体情報取得装置は、
被検者を支持し、前記被検者の一部である被検体を挿入する挿入口が形成された支持部材と、前記挿入口に設けられ、前記被検体を保持する保持部材と、音響整合液を収納可能な液槽と、前記液槽内に設けられ、前記被検体内からの音響波を受信する音響素子が配置された探触子ユニットと、前記探触子ユニットを前記保持部材に対して相対的に移動させる走査機構と、を有し、前記探触子ユニットは、前記探触子ユニットが移動する際に前記音響整合液から受ける流体抵抗を抑制する抑制手段を有することを特徴とする。
【発明の効果】
【００１０】
本発明によれば、移動する探触子を用いて被検体を走査する被検体情報取得装置において、音響整合液の揺動を抑制することができる。
【図面の簡単な説明】
【００１１】
【図１】第一の実施形態に係る光音響測定装置の斜視図である。
【図２】第一の実施形態に係る光音響測定装置の断面図である。
【図３】音響検出ユニットおよび走査ユニットの一部を表した斜視図である。
【図４】Ｘ走査機構にカバーを取り付けた状態の斜視図である。
【図５Ａ】音響検出ユニット周辺の相対的なマッチング液の流れを示した図である。
【図５Ｂ】音響検出ユニット周辺の相対的なマッチング液の流れを示した図である。
【図６】音響検出ユニットを走査した際の、液位変動の状態を表した図である。
【図７】第二の実施形態における音響検出ユニットの断面図である。
【図８】第三の実施形態における音響検出ユニットの断面図である。
【図９】変形例に係る光音響測定装置を説明する図である。
【発明を実施するための形態】
【００１２】
以下に図面を参照しつつ、本発明の好適な実施の形態について説明する。ただし、以下に記載されている構成部品の寸法、材質、形状およびそれらの相対配置などは、発明が適用される装置の構成や各種条件により適宜変更されるべきものである。よって、この発明の範囲を以下の記載に限定する趣旨のものではない。
【００１３】
本発明は、被検体に光（電磁波）を照射することにより被検体内で発生した音響波を受信して、被検体の特性情報を画像データとして取得する、光音響効果を利用した装置に適用することができる。このような装置は、光音響測定の結果に基づき、被検体内部の特性情報を得ることから、光音響装置、光音響診断装置、光音響測定装置とも呼ばれる。
【００１４】
光音響装置における特性情報とは、光照射によって生じた音響波の発生源分布、被検体内の初期音圧分布、あるいは初期音圧分布から導かれる光エネルギー吸収密度分布や吸収係数分布、組織を構成する物質の濃度分布などである。組織を構成する物質とは、例えば、酸素飽和度分布や酸化・還元ヘモグロビン濃度分布などの血液成分、あるいは脂肪、コラーゲン、水分などである。
【００１５】
また、本発明は、被検体に超音波を送信し、被検体内で反射した超音波を受信して、被検体の構造情報を画像データとして取得する超音波装置に適用することもできる。構造情報とは、被検体内における、音響インピーダンスの異なる境界面の位置を示す情報である。
このように、本発明は、光音響装置に限定されるものではない。
【００１６】
本発明における音響波とは、典型的には超音波であり、音波や音響波と呼ばれる弾性波を含む。また、探触子等により音響波から変換された電気信号を音響信号とも呼ぶ。ただし、本明細書における超音波または音響波という記載は、それらの弾性波の波長を限定するものではない。また、光音響効果により発生した音響波は、光音響波または光超音波と呼ばれる。光音響波に由来する電気信号を光音響信号とも呼ぶ。
【００１７】
以下の記載では、被検体情報取得装置の代表的な例として、受信した超音波を用いて被検体の診断を行う装置について説明する。しかしこのことは、使用する超音波（音響波）の波長、探触子が受信および送信可能な波長範囲、装置の使用目的などを限定する趣旨ではない。
【００１８】
（第一の実施形態）
第一の実施形態に係る被検体情報取得装置は、被検体にパルス光を照射し、被検体内で発生した音響波を解析することで、被検体内の光学特性に関連した情報を可視化、すなわち画像化する装置（以下、光音響測定装置）である。被検体とは被検者の一部であり、本実施形態では乳房である。
【００１９】
前述したように、音響マッチング液を貯留した液槽を移動させることで走査を行う装置においては、走査中において音響マッチング液の液面が揺動し、測定精度を低下させる原因となる。以下、この問題を解決するための、第一の実施形態に係る光音響測定装置について説明する。
【００２０】
<構成概要>
図１を参照しながら、第一の実施形態に係る光音響測定装置の構成を説明する。
第一の実施形態に係る光音響測定装置は、被検者を保持するベッド状の支持部材（ベッドユニット１００）と、制御ユニット４００、光源５００、液槽６００を有している。また、液槽６００の内部に、音響波を受信するユニットである音響検出ユニット２００と、音響検出ユニット２００を移動させるための走査ユニット３００を有している。
また、図２は、図１のＡ−Ａ断面における断面図であり、図３は、音響検出ユニット２００および走査ユニット３００の一部を表した斜視図である。
【００２１】
被検者は、被検者を支持するためのベッドユニット１００上で伏臥位をとる。ベッドユニット１００には、被検体である乳房（被検体）を、鉛直方向（Ｚ軸方向）下方に挿入するための挿入口１１１が設けられている。また、符号１１２は、挿入口１１１に挿入された乳房を保持するための保持部材である。保持部材１１２は、ベッド状の支持部材に形成された挿入口１１１にはめ込む形で設置され、被検体である乳房の保持に利用される。
【００２２】
符号６００は、音響インピーダンスを整合させるための液体（本発明における音響整合液。以下、音響マッチング液）を貯留する液槽である。液槽６００には、音響検出ユニット２００と、走査ユニット３００が格納されている。
【００２３】
音響検出ユニット２００は、被検体にパルス光を照射し、また、被検体内で発生した音響波を受信するユニットである。音響検出ユニット２００は、被検体内から到来する音響波を電気信号に変換する一つ以上の音響素子を有している。
【００２４】
音響検出ユニット２００は、音響検出ユニットを二次元方向に平行移動させるための走査ユニット３００と接続されている。なお、本実施形態では、走査ユニット３００は、ベッド面と平行な方向（ＸＹ平面内）に音響検出ユニットを移動させることができる構成となっているが、被検体の形状に応じてＺ方向に移動可動な構成としてもよい。
【００２５】
音響検出ユニット２００から出力された電気信号は、制御ユニット４００に入力され、被検体内の特性情報を表す画像に変換されたのち、不図示の表示部に出力される。
【００２６】
以下、それぞれの構成要素について、より詳しく説明する。
<ベッドユニット１００>
ベッドユニット１００は、被検者をうつぶせ（伏臥位）状態で保持するユニットであり、被検者の体勢を維持する支持部材である寝台１１０と、寝台を支える支柱１２０、ベース１３０から構成されている。
寝台１１０には、被検体（本実施形態では乳房）を挿入するための挿入口１１１が設けられている。また、挿入口１１１には、挿入された乳房を保持するための保持部材であるカップ１１２が備えられている。カップ１１２と挿入口１１１との間は水密構造とすることが好ましい。このようにすることで、後述する音響マッチング液が被検者側へ漏れ出してくることを防ぐことができる。具体的には、Ｏリングを挟んだり、シーリング材によるシールをする構成が挙げられる。
寝台１１０は、被検者の体重を支持するための強度があれば、どのような材料で構成してもよいが、装置外への光の散乱を防ぐため、光を透過しない材料で構成することが好ましい。また、被検者の体重による変形を抑制できる材料で構成することが好ましい。例えば、金属材料であるアルミニウムや鉄、ステンレスを好適に用いることができる。
【００２７】
カップ１１２には、乳房との音響インピーダンス（１．５〜１．６×１０６ｋｇ／ｍ２ｓｅｃ）が略等しく、さらに、光の透過率が高い（好ましくは９０％以上）部材を用いることが好ましい。具体的な材料として、ポリメチルペンテン、ＰＥＴ、ポリカーボネート、エラストマーなどがある。また、カップ１１２は、透過する音響波が減衰しないように、薄くすることが好ましい。また、測定の際には、乳房とカップ１１２との間の音響インピーダンスを整合させるため、カップ１１２にジェルや水などの液体を入れることが好ましい。また、乳房を保持する保持部材は、カップ形状に限られず、シート状のフィルム、ゴムシートなどであってもよい。
【００２８】
<音響検出ユニット２００>
音響検出ユニット２００は、被検体である乳房に対して、後述する光源５００で発生した光を照射し、また、乳房から発生し伝播する音響波を受信するユニット（本発明における探触子ユニット）である。音響検出ユニット２００は、液槽内に配置されている。
【００２９】
乳房から到来する音響波は、半球状の音響素子支持部材（符号２２１）の表面に配置された複数の複数の音響素子（符号２２２）によって受信される。以降、音響素子支持部材２２１および音響素子２２２を合わせて検出器２２０と称する。
【００３０】
音響素子２２２は、被検体から到来する光音響波を受信して電気信号に変換する素子である。素子の受信面を半球状に配置し、受信感度の高い方向が一点で交わるようにすることで、素子の受信面に対して音響波が垂直に入射する割合が多くなり、素子の角度依存性を抑制できる。
なお、本実施形態では、半球状の音響素子支持部材２２１の内側に複数の音響素子を配置したが、音響素子支持部材の形状はこの形状に限定されるものではない。例えば、複数の音響検出素子は平面状に配置してもよく、この場合、音響素子支持部材は例えば平板形状をとることができる。また、乳房から発生する超音波が取得できれば、その配置方法は任意であり、例えば音響素子支持部材を用いなくてもよい。なお、音響素子２２２には、ＰＺＴ（チタン酸ジルコン酸鉛）に代表される圧電セラミック材料や、ＰＶＤＦ（ポリフッ化ビニリデン）に代表される高分子圧電膜材料などを用いることができる。また、圧電素子以外の素子を用いても良い。例えば、ＣＭＵＴなどの静電容量型の素子を用いること
ができる。
音響素子２２２には、信号を伝達する配線２２３がそれぞれ接続されている。本実施形態では、配線２２３は防水ケーブルである。また、音響素子２２２は、配線２２３の付け根などから中に水が侵入しない構成となっており、音響マッチング液内に水没させても動作に影響がない構成となっている。
【００３１】
半球状の音響素子支持部材２２１の底部には、被検体に照射するパルス光を出射させるための光照射部２１０が配置されている。本実施形態では、光源５００で発生したパルス光が、光ファイバ２１１を経由して光照射部２１０から照射される。光ファイバ２１１も、配線２２３と同様に防水仕様となっており、音響マッチング液内に水没させても光の伝送に影響がないようになっている。
【００３２】
また、半球状の音響素子支持部材２２１には、複数の音響素子２２２を外側から取り囲むカバー（素子カバー２２４）が取り付けられている。素子カバー２２４は、音響素子の突出した部分を覆うことで、検出器２２０を音響マッチング液の中で移動させた際に受ける抵抗を抑制するための部材である。
素子カバー２２４は、検出器２２０をＸ軸およびＹ軸のいずれの方向へ移動してもマッチング液の抵抗が抑制できるように、半球状の形状をしている。また、カバー２２４の下部には、配線２２３や光ファイバ２１１を通すための開口が設けられている。また、検出器２２０の下部には、検出器ベース２３０があり、素子カバー２２４の開口から引き出された複数の配線２２３がまとめられている。さらに、検出器ベース２３０から配線２２３および光ファイバ２１１が、後述するケーブルベア（登録商標）に向かって配線されている。
【００３３】
<走査ユニット３００>
走査ユニット３００は、音響検出ユニット２００をＸ−Ｙ方向に二次元的に移動させるための移動機構である。音響検出ユニット２００を二次元方向に移動させることで、音響波の受信感度が高い領域を移動させることができ、被検体上の広い領域から感度よく音響波を取得することができる。
本実施形態では、Ｘ軸方向に移動するＸ走査機構３１０と、Ｘ軸に直交するＹ軸方向に移動するＹ走査機構３２０を組み合わせることによって、音響検出ユニット２００を移動させる。
【００３４】
図３を参照しながら説明する。
Ｘ走査機構３１０は、中間ベース３１１、Ｘモーター３１２、Ｘボールねじ３１３、Ｘベース３１４、Ｘガイド３１５で構成される。中間ベース３１１には、Ｘモーター３１２とＸガイド３１５が固定されている。Ｘモーター３１２には、Ｘボールねじ３１３が直結されており、Ｘベース３１４には、Ｘボールねじ３１３とかみ合うナットが形成されている。また、Ｘベース３１４は、Ｘガイド３１５とＸ軸方向に摺動可能であり、かつ、移動方向が規制されるように構成されている。
また、Ｘベース３１４の上には、検出器ベース２３０が結合されている。従って、Ｘモーター３１２が回転するとＸボールねじ３１３が回転し、Ｘベース３１４がＸ軸方向に移動し、これにより、音響検出ユニット２００がＸ軸方向に移動する。
Ｘモーター３１２には、水の付着を防ぐためのＸモーターカバー３１２ａが設けられている。また、Ｘモーターカバー３１２ａとＸボールねじ３１３は、公知の技術（例えばＯリング）により、摺動可能で、かつ、防水性能を有するように構成されている。
【００３５】
Ｙ走査機構３２０は、ベース３２１、Ｙモーター３２２、Ｙボールねじ３２３、Ｙベース３２４、Ｙガイド３２５で構成される。Ｘ走査機構と同様に、Ｙモーター３２２には、Ｙボールねじ３２３が直結されており、Ｙベース３２４には、Ｙボールねじ３２３とかみ
合うナットが形成されている。また、Ｙモーターは液槽６００の外に設けられており、Ｙボールねじ３２３が貫通するように取り付けられている。Ｙボールねじ３２３は、液槽６００に対してＯリングを介して回転可能、かつ、防水されて取り付けられている。Ｙベース３２４は、Ｙガイド３２５とＹ方向に摺動可能で、且つ移動方向が規制されるように構成されている。
また、Ｙベース３２４の上には、前述した中間ベース３１１が結合されている。従って、Ｙモーター３２２が回転するとＸボールねじ３２３が回転し、Ｙベース３２４がＹ軸方向に移動し、これにより、Ｘ走査機構３１０および音響検出ユニット２００がＹ軸方向に移動する。
【００３６】
なお、本実施形態では、Ｙ走査機構３２０にＸ走査機構３１０が載置され、Ｘ走査機構３１０に音響検出ユニット２００が載置されているが、走査ユニット３００は、音響検出ユニット２００を走査させるための機構であれば、どのようなものであってもよい。例えば、本実施形態においてはボールねじとリニアガイドを用いたが、リニアガイド、チェーン、タイミングベルトなどの直動機構、スラストベアリングやＲガイド、クロスローラベアリングの様な回動機構であってもよい。また、所望する動きに応じて、直動および回動を組み合わせてもよい。
【００３７】
検出器ベース２３０から取り出した配線２２３と光ファイバ２１１は、Ｘケーブルベア３１６を通り、中間ベース３１１の下部にあるＹケーブルベア３２６を通して引き出されている。
Ｘケーブルベア３１６の移動端は、検出器ベース２３０に、Ｘ移動ステー３１６ａを介して取り付けられている。他方の固定端は、中間ベース３１１に、Ｘ固定ステー３１６ｂを介して取り付けられている。また、Ｙケーブルベア３２６の移動端は、中間テーブル３１１に取り付けられ、他方の固定端はベース３２１に取り付けられている。
Ｘモーター３１２のモーターケーブル３１２ｂは、Ｘモーター３１２がＹ軸方向にのみ移動するため、Ｙケーブルベア３２６にのみ通されている。なお、本実施形態では、Ｘ軸方向およびＹ軸方向それぞれに対してケーブルベアを設ける構成としたが、音響検出ユニット２００を移動した際に配線が追従、かつ、まとめることができれば、他の構成であってもよい。例えば、三次元方向に移動可能な一つのケーブルベアで処理してもよい。
【００３８】
図４は、Ｘ走査機構３１０にカバーを取り付けた状態における、走査ユニット３００の斜視図である。カバーは、側面のＸ軸方向の両端に設けられた側面Ｘカバー３３１、側面のＹ軸方向に設けられた側面Ｙカバー３３２、上カバー３３３で構成される。側面Ｙカバー３３２の形状は、Ｘ走査機構３１０がＹ軸方向に走査された際、マッチング液の抵抗が抑制できるように、Ｘ軸方向から見て半円状の形状となっている。
【００３９】
<制御ユニット４００>
制御ユニット４００は、演算部および記憶部を有し、パルス光の照射、音響素子から出力される電気信号の処理、走査ユニット３００の駆動など、装置が有する各部位の制御を行う手段（本発明における信号処理部）である。
演算部は、典型的には、ＣＰＵ、ＧＰＵ、Ａ／Ｄ変換器などの素子や、ＦＰＧＡ、ＡＳＩＣなどの回路から構成される。なお、演算部は、１つの素子や回路から構成されるだけでなく、複数の素子や回路から構成されていてもよい。また、制御ユニット４００が行う各処理をいずれの素子や回路が実行してもよい。
記憶部は、典型的にはＲＯＭ、ＲＡＭ、およびハードディスクなどの記憶媒体から構成される。なお、記憶部は１つの記憶媒体から構成されるだけでなく、複数の記憶媒体から構成されていてもよい。
【００４０】
演算部は、複数の音響素子２２２から出力された電気信号に対して信号処理を施すこと
ができる。また、制御ユニット４００は、同時に複数の信号をパイプライン処理できるように構成されていることが好ましい。これにより、被検体情報を取得するまでの時間を短縮することができる。
なお、制御ユニット４００が行うそれぞれの処理は、演算部に実行させるプログラムとして記憶部（例えば一時的な記録媒体）に保存しておいてもよい。
【００４１】
<光源５００>
光源５００は、被検体に照射するパルス光を発生させる手段である。光源は、大出力を得るためレーザ光源であることが望ましいが、発光ダイオードなどを用いることもできる。光音響波を効果的に発生させるためには、被検体の熱特性に応じて十分短い時間に光を照射することが望ましい。被検体が生体の場合、光源から発生するパルス光のパルス幅は数１０ナノ秒以下にすることが望ましい。
パルス光の波長は、生体の窓と呼ばれる近赤外領域の波長であることが望ましい。具体的には、７００ｎｍ〜１２００ｎｍ程度であることが望ましい。この領域の光は比較的生体深部まで到達することができるため、深部の情報を得ることができる。なお、生体表面部の測定に限定すれば、５００〜７００ｎｍ程度の、可視光領域から近赤外領域の波長を使用することもできる。
【００４２】
なお、生体組織に照射することが許される光の強度は、以下に示す安全規格によって、最大許容露光量（ＭＰＥ）として定められている。被検体に照射される光の強度は、これらの規格に沿ったものであることが望ましい。
・ＩＥＣ  ４０８２５−１：ＳａｆｅｔＹ  ｏｆ  ｌａｓｅｒ  ｐｒｏｄｕｃｔｓ
・ＪＩＳ  Ｃ  ６８０２：レーザ製品の安全基準
・ＦＤＡ：２１ＣＦＲ  Ｐａｒｔ  １０４０．１０
・ＡＮＳＩ  Ｚ１３６．１：Ｌａｓｅｒ  Ｓａｆｅｔｙ  Ｓｔａｎｄａｒｄｓ等
【００４３】
なお、乳房の表面を広い面積で一括して光を照射することにより、多くの光を乳房に導くことができ、高いＳＮ比で光音響波を受信することができる。このため、光をある程度の面積に拡大するレンズを、光照射部２１０の先端に設けてもよい。
【００４４】
<液槽６００>
液槽６００は、音響素子２２２とカップ１１２との音響結合を行うためのマッチング液を貯留する容器である。
本実施形態では、走査時における音響検出ユニット２００の移動軌跡がスパイラル状（渦巻き状）になっている。探触子をこのように渦巻き状に移動させることで、音響波を効率よく受信できる。一方、このように音響検出ユニットを移動させると、音響マッチング液がＺ軸周りに回転する方向に流動する。液槽６００は、このような流れに対して抵抗を抑制するため、円筒形状となっている。
液槽６００の内側からは、前述のＹボールねじ３２３のほか、配線２２３および光ファイバ２１１が、防水性のブッシュを介して引き出されている。また、液槽６００から外側へ引き出された配線２２３は制御ユニット４００へ、光ファイバ２１１は光源５００へ接続されている。
【００４５】
<作用および効果>
次に、本実施形態の作用および効果について説明する。
図５Ａは、音響検出ユニット２００をＸ軸方向へ移動させた際の、音響検出ユニット２００の周りの相対的な音響マッチング液の流れを示した図である。Ｘ軸方向へ移動する場合、Ｘ走査機構のカバーは静止したままで、音響検出ユニット２００のみが移動する。このとき、複数の音響素子２２２および配線２２３が、音響マッチング液の流れを乱す原因となりうるが、本実施形態では、外側に素子カバー２２４が存在するため、矢印で示した
ように、音響マッチング液がスムーズに流れ、流体抵抗が抑制される。
【００４６】
図５Ｂは、音響検出ユニット２００をＹ軸方向へ移動させた際の、音響検出ユニット２００およびＸ走査機構３１０の周りの相対的な音響マッチング液の流れを示した図である。Ｙ軸方向へ移動する場合、音響検出ユニットに加え、Ｘ走査機構３１０も移動する。
Ｘ走査機構３１０の周囲では、Ｘモーター３１２、Ｘボールねじ３１３、Ｘケーブルベア３１６などが、音響マッチング液の流れを乱す原因となりうる。しかし、本実施形態では、側面Ｙカバー３３２が設けられているため、矢印で示したように音響マッチング液がスムーズに流れ、流体抵抗が抑制される。
【００４７】
なお、素子カバー２２４は半球状でなくともよいが、流体抵抗を抑制するために、流れに対して形状が急激に変化する場所がないような形状であることが好ましい。また、側面Ｙカバー３３２も半円状の形状に限らない。具体的には、既知の流体抵抗の関係式から抵抗が抑制できるような形状とするとよい。
【００４８】
図６は、音響検出ユニット２００を移動させた際の、あるタイミングにおける、音響マッチング液の液面の状態を表した図である。図６（Ａ）が、本実施形態に係る構成を表し、図６（Ｂ）が、素子カバー２２４およびＸ走査機構３１０のカバーが無い構成を表す。この場合、図６（Ｂ）のほうが、液位の変動が大きくなる。
【００４９】
なお、図中の点線（符号２２２ａ）は、音響素子２２２の指向軸を表している。図６（Ｂ）の例では、音響素子２２２の指向軸上に空気の層がある。このようなタイミングで被検体から発生した音響波は、音響素子２２２で受信することができない。つまり、被検体情報に欠損が生じ、その結果、得られた画像の品質が低下してしまう。
しかし、本実施形態のように、移動する部材にカバーを設けた場合、音響マッチング液の液位変動が抑制される。それにより、指向軸の軸上に空気層が入り込むことがなくなり、品質の高い画像を得ることができる。
【００５０】
なお、本実施形態では、移動する一つのユニット全体をカバーで覆ったが、個々の部品をカバーで覆ったり、流体抵抗を抑制する形状としてもよい。
【００５１】
（第二の実施形態）
第二の実施形態は、第一の実施形態とは異なる手段で音響マッチング液の流体抵抗を抑制する実施形態である。
図７（Ａ）は、第二の実施形態における音響検出ユニット２００の断面図である。図中の矢印は、音響検出ユニット２００をＹ軸方向へ移動させた場合における、音響検出ユニット近傍の相対的なマッチング液の流れを示している。なお、第一の実施形態と同様の部品構成については説明を省略する。
【００５２】
第二の実施形態では、半球状の音響素子支持部材２２１の開口部に設けられた膜２２５によって、音響マッチング液の流体抵抗を抑制する。膜２２５は、半球状の音響素子支持部材２２１の上部開口が平面になるように構成される。また、膜２２５と半球状の音響素子支持部材２２１の間にも音響マッチング液が満たされている。膜２２５の材質は、音響マッチング液との音響インピーダンスが略等しく、光の透過率が高い部材であることが好ましい。よって、膜以外にも、ゴムや薄板なども適用できる。
【００５３】
図７（Ｂ）は、膜２２５がない場合の音響マッチング液の流れを示した図である。この場合、図からもわかるように、半球状の音響素子支持部材２２１の凹部へ流入した音響マッチング液が、凹部の壁に押し上げられて上向きの流れを形成し、液位変動を発生させる原因となる。
しかし、膜２２５を設けることで半球状の音響素子支持部材２２１の凹部への流れが仕切られ、平面に沿った流れとなる。すなわち、上向きの流れが抑制され、結果、液位変動を抑制することができる。
なお、第二の実施形態における膜２２５を、第一の実施形態におけるカバーと組み合わせてもよい。その場合、さらなる液位変動の抑制が可能となる。
【００５４】
（第三の実施形態）
第三の実施形態は、音響検出ユニット２００を構成する部材に、音響マッチング液が通過できる空間（流路）を設けた実施形態である。図８は、第三の実施形態における音響検出ユニット２００の断面図である。
【００５５】
第三の実施形態では、半球状の音響素子支持部材２２１の、音響素子２２２の取り付けに影響のない位置に、音響マッチング液を通過させるための流路２２１ａが設けられている。また、Ｙ軸方向に移動する検出器ベース２３０にも流路２３０ａが、Ｘベース３１４にも流路３１４ａがそれぞれ設けられている。流路は、成形した各部材を加工することで設けてもよいし、メッシュ状の部材を用いることで設けてもよい。
【００５６】
このように、移動する部材に、音響マッチング液を通過させる流路を設けることで、音響マッチング液の抵抗を受ける面積を減少させることができ、音響検出ユニット２００を移動させた際の流体抵抗を抑制することができる。すなわち、音響マッチング液の液位変動を抑制することができる。
なお、流路は、例示した位置や部材に限らず、装置構成に影響のない場所であれば、どこに形成してもよい。また、第三の実施形態における流路は、第一の実施形態におけるカバー、第二の実施形態における膜と併用または組み合わせてもよい。例えば、一部に流路を設け、一部にカバーを装着するようにしてもよい。
【００５７】
（変形例）
図９は、寝台１１０に、頭部を収納可能な窪み１１３（本発明における垂下部）を設けた場合の例である。寝台１１１が平坦だと、挿入口１１１に乳房を挿入した場合、寝台１１１と被検者の頭部とが物理的に干渉し、被検者は首を後方に反らす必要があり、被検者によっては不自然な体勢を強いられることがある。そこで窪み１１３を設けることで測定中の被検者の安楽性を高めることができる。
従来技術のように、探触子ごと液槽を移動させる場合、液槽の走査により、液槽と窪みとに物理的な干渉が発生してしまうため、垂下部を設けることは難しかった。しかし、第一ないし第三の実施形態で説明したように、本発明に係る光音響測定装置では、液槽６００が固定されていても探触子で走査することができるため、図のように寝台に窪み１１３を設けることができる。
なお、寝台１１０の厚みを厚くし、頭部に対応する部分の厚みを薄くすることで窪みを設けることで、液槽を走査する場合であっても液槽と窪みとの物理的干渉を防ぐこともできる。しかしながら、寝台１１０の厚みにより乳房の挿入が浅くなり、計測できる領域が狭くなる。一方、本実施形態の様に、液槽中で探触子を走査させる場合は、寝台の支持面(被検者と接触する面と対向する面のことを指す)よりも低い位置で被検者の頭部を保持することが可能となり、より深く装置に乳房を挿入させることが可能になる。
【００５８】
なお、実施形態の説明は本発明を説明する上での例示であり、本発明は、発明の趣旨を逸脱しない範囲で適宜変更または組み合わせて実施することができる。例えば、本発明は、上記処理の少なくとも一部を含む被検体情報取得装置として実施することもできる。上述した処理や手段は、技術的な矛盾が生じない限りにおいて、自由に組み合わせて実施することができる。
【００５９】
また、各実施形態では、光音響効果を利用して被検体の測定を行う装置を例に説明を行ったが、音響インピーダンスの整合をとるために液体を用い、かつ、被検者を伏臥位で支持する装置であれば、他のモダリティに適用することもできる。例えば、超音波エコーによって被検体の測定を行う測定装置や、拡散光トモグラフィによる測定装置にも適用することができる。
【符号の説明】
【００６０】
１１０・・・寝台、２００・・・音響検出ユニット、２２２・・・音響素子、２２４・・・素子カバー、３００・・・走査ユニット、６００・・・液槽
【図１】
2017077411.tif 000003
【図２】
2017077411.tif 000004
【図３】
2017077411.tif 000005
【図４】
2017077411.tif 000006
【図５Ａ】
2017077411.tif 000007
【図５Ｂ】
2017077411.tif 000008
【図６】
2017077411.tif 000009
【図７】
2017077411.tif 000010
【図８】
2017077411.tif 000011
【図９】
2017077411.tif 000012